(57)【要約】【課題】殺菌等の機能を最大限に発揮できるように腰かけ便器の便蓋裏面の所定位置に殺菌シートを張設して宣伝機能と共に殺菌機能を最大限に発揮できる殺菌等機能を有する腰かけ便器を提供する。【解決手段】便器本体ボウル部の便蓋内側に、裏面に粘着剤を塗布した略Ａ４タイプの大きさの殺菌・除菌・抗菌等の機能を有する機能シートを貼付し、便蓋閉蓋時に機能シート表面から便器本体ボウル部内部と共に便器本体ボウル部の周囲にも殺菌・除菌・抗菌等の機能作用を及ぼすように構成した殺菌等機能を有する腰かけ便器を提供する。【選択図】図１
2022002554.tif 000002
【特許請求の範囲】
【請求項１】
便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とすると共に、便蓋の周縁部は便座外周縁の側周面から空気流通空間に至るまで囲い壁体を形成し、しかも、必要に応じ便蓋の下面である裏面に蓋用脚体を前後左右の四か所に突設し、前側の左右蓋用脚体と後側の左右の蓋用脚体とで囲繞された略方形の空間部分に横長手状略方形の殺菌・除菌・抗菌等の機能を有する機能シートを貼付し、
更には、便蓋を閉蓋した際に機能シートの前端縁と便座前部との間の空間を機能シートの後端縁と便座後部との間の空間より長くしたことを特徴とする殺菌、滅菌等の機能を有する腰かけ便器の便蓋構造。
【請求項２】
殺菌・除菌・抗菌等の機能を有する機能シートのシート本体は、
漆喰コートを基板としてその表面にプライマー層を形成し、更にその表面にＰＥＴ（ポリエステル）フィルムを重ね、更にアクリル系粘着剤を塗布し、その表面に樹脂製剥離紙を剥離自在に貼着したことを特徴とする請求項１に記載の殺菌、滅菌等機能を有する腰かけ便器。
【請求項３】
殺菌・除菌・抗菌等の機能を有する機能シートにおけるシート本体はその表面に薬剤を塗布し、該薬剤は水酸化カルシウムを基剤としスサ、海藻糊、水性塗料樹脂を混合して形成したことを特徴とする請求項１または請求項２に記載の殺菌、滅菌等機能を有する腰かけ便器。
【請求項４】
シート本体に塗布した薬剤面には宣伝広告の機能を有する文字や図形を印刷したことを特徴とする請求項１から請求項３のいずれか一項に記載の殺菌、滅菌等機能を有する腰かけ便器。
【発明の詳細な説明】
【技術分野】
【０００１】
本発明は、殺菌、滅菌等の機能を有する腰かけ便器の便蓋構造に関する。
【背景技術】
【０００２】
従来、腰かけ便器と殺菌、滅菌等の機能を付与したシートとを組み合わせて便器本体のボウル部の内部や便所空間全体を殺菌したり滅菌したりする技術は多々ある。
例えば、腰かけ便器の便蓋の内周縁にホルダーを取りつけてホルダー内に芳香剤や除菌剤や消臭剤などを収納したものや、便所内空間の特定の位置、例えば壁面とか壁体と便器間の空間等に光触媒を坦持した殺菌、滅菌機能を有するシートを貼付するもの等がある（特許文献１、２、３）。
【先行技術文献】
【特許文献】
【０００３】
【特許文献１】実登３１９８７８６号公報
【特許文献２】特開２００５−１５２２０７号公報
【特許文献３】特開２０１８−０３８７８２号公報
【発明の概要】
【発明が解決しようとする課題】
【０００４】
このように腰かけ便器に殺菌機能を有するシートを貼付したり殺菌剤収納のケースを便器近傍に取付ける技術がある。
これらの技術は便器本体のボウル内部やその周辺空間に殺菌機能や抗菌機能を及ぼすようにしたものであるが、腰かけ便器を設置した便所では便蓋の開蓋状況と閉蓋状況とでは衛生環境が大きく異なるために殺菌や抗菌の機能を便所内空間や便器内部に均等に、かつ、便蓋の開閉状態にかかわらず常時及ぼすことができなかった。
【０００５】
本件発明では、これらの殺菌等の機能を広い範囲で最大限に発揮できるように腰かけ便器の便蓋の周縁部に特殊な形状加工をし、かつ、混合薬剤を塗布した殺菌シートを貼設すると共に、殺菌シートの本体も特定の素材の積層により構成することにより、腰かけ便器における便蓋の開閉状況にかかわらず殺菌シートの機能を便所内の各所に均一に発揮することができるようにした。しかも、殺菌シートはその表面には各種の広告宣伝表示を印刷しうるような素材で構成して人が便所内空間で用を足す時間を有効に利用してビジネス情報の伝達機能も兼ねるようにした。
【課題を解決するための手段】
【０００６】
本発明は、便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とすると共に、便蓋の周縁部は便座外周縁の側周面から空気流通空間に至るまで囲い壁体を形成し、しかも、必要に応じ便蓋の下面である裏面に蓋用脚体を前後左右の四か所に突設し、前側の左右蓋用脚体と後側の左右の蓋用脚体とで囲繞された略方形の空間部分に横長手状略方形の殺菌・除菌・抗菌等の機能を有する機能シートを貼付し、更には、便蓋を閉蓋した際に機能シートの前端縁と便座前部との間の空間を機能シートの後端縁と便座後部との間の空間より長くしたことを特徴とする殺菌、滅菌等の機能を有する腰かけ便器の便蓋構造を提供せんとする。
【０００７】
また、殺菌・除菌・抗菌等の機能を有する機能シートのシート本体は、漆喰コートを基板としてその表面にプライマー層を形成し、更にその表面にＰＥＴ（ポリエステル）フィルムを重ね、更にアクリル系粘着剤を塗布し、その表面に樹脂製剥離紙を剥離自在に貼着して構成している。
【０００８】
また、殺菌・除菌・抗菌等の機能を有する機能シートにおけるシート本体はその表面に薬剤を塗布し、該薬剤は水酸化カルシウムを基剤としスサ、海藻糊、水性塗料樹脂を混合して形成したことを特徴とする。
【０００９】
また、シート本体に塗布した薬剤面には宣伝広告の機能を有する文字や図形を印刷したことを特徴とする。
【発明の効果】
【００１０】
請求項１に係る発明によれば、簡易な構造にもかかわらず便器本体、便所内空間のいずれにも有効な殺菌、滅菌効果を及ぼすことができる。
すなわち、一般に通常の便座使用形態では、便座前部の空間部分には尻部は位置しないため便座前半部に対しては機能シートによる殺菌機能を及ぼす必要性は無い。このような位置関係においては便蓋を閉蓋した際に便蓋裏側に張った機能シートの前端縁と便座前部との間の空間長さを機能シートの後端縁と便座後部との間の空間長さより長くしておく方が殺菌抗菌効率が良好である。
【００１１】
他方、便蓋を開蓋して着座し用を足している間は着座した尻部の接触する便座中心位置では既に閉蓋時において便座表面へ殺菌・除菌・抗菌等の機能が及んでいるため尻部と共に便座表面に対する殺菌等の機能が十分に作用していた。しかも、用を足している間には既に便蓋の閉蓋時に便器ボウルに充満していた殺菌・除菌・抗菌等の薬剤の機能は便座前端と着座した股部との間の空間から気化漏洩してボウル部外にも拡散し便所内空間にも殺菌などの機能を及ぶすことができる。
また、用を足していない状態、すなわち、便蓋を垂直に開放し着座していない状態の場合には、便蓋の内側に貼着した機能シートは大気に露出し便所内空間のほぼ全域にわたって殺菌等の機能を及ぼすことができる。
従って、男性が小用のために便蓋を垂直に開蓋して用を足している場合は周辺に尿飛散が生起しても機能シートが大気に対して露出し便所内空間にわたって殺菌等の機能を及ぼすことができる効果がある。
【００１２】
請求項２に係る発明によれば、殺菌・除菌・抗菌等の機能を有する機能シート表面に水酸化カルシウムを基剤としたスサ、海藻糊、水性塗料樹脂等の混合薬剤が密着塗布され、かかる機能シートは薬剤担持手段として有効に長時間担持機能を保有して容易に薬剤が剥離することなく殺菌等の機能を維持することができる効果がある。
特に、薬剤が水酸化カルシウムを基剤としスサ、海藻糊、水性塗料樹脂を混合して形成しているためにシート本体の紙質表面に容易に塗布密着することができ、しかも薬剤の塗布厚さの調整により薬剤の効能期間や効能力の調整をすることができる効果がある。
更には、シート本体は基板とプライマー層とPET（ポリエステル）フイルムとアクリル系粘着剤と剥離紙とにより構成しているため薬剤の塗布密着効果が高く剥離紙の剥離作業も行いやすく貼付作業に便利であり、かつ剥離紙の剥離作業のみで便蓋の裏面に容易に貼着することができると共に薬剤の保持機能も十分にあり使用勝手が簡便で有用な効果がある。
また、殺菌等の機能の減退時にシート本体の取り換えを行う際も便蓋裏面から剥離して貼着し直すだけの作業であるためシート本体の交換も便利であり、シート本体の販売及び取り換え事業を衛生向上のためのビジネスと一体として便器周辺の殺菌抗菌等の衛生目的のビジネスモデルとして構築することもできる。
【００１３】
請求項３、４に係る発明によれば、シート本体の薬効成分により殺菌や滅菌等の機能を有効に発揮することができ、薬剤をシート本体に長期間確実に坦持することできる効果がある。
更には、水性塗料樹脂を含む薬剤であるためにその表面に各種印刷が容易に行えると共にインクの付着も良好であるため各種の情報を印刷することができ、殺菌抗菌等の衛生事業に宣伝表示機能を付加して新しいビジネスモデルを構築することができる。
すなわち、塗布した薬剤表面には宣伝広告の機能を具備する文字や図形を印刷することにより、便蓋を上げて使用する際には殺菌等の機能と共に、便蓋裏面に貼付された印刷済みシート本体が大気に露出し用を足すものは必然的にシート本体の印刷内容を視認することができる。従って、広告宣伝機能を大いに発揮することができるために、広告スポンサーの有料化により機能シートのコストの低減やかかるシート本体の販売ビジネス事業にも役立てることができる効果もある。
ビジネスモデルの観点からは、便所における殺菌等の環境衛生を指向しながら同時に各種のＰＲ情報を発信することができるため、情報発信元の企業の事業発展に貢献しながら環境衛生にも貢献しているという企業イメージのアップにつながる。
このように本件発明によれば、便所内での殺菌抗菌等の目的とした企業イメージの向上というビジネスモデルの構築も行うことができる効果がある。
【００１４】
従来、日常周辺の衛生環境を改善するために上記した本発明の機能シートを各所に貼設する技術思想は多々存在するものの、本発明では特に便所周辺の環境に対する殺菌や滅菌や消毒等の機能に特化しながら衛生向上や健康志向のビジネスモデル的活動に貢献することができることにも特徴を有する。その理由は、便蓋の裏面に殺菌等の機能シートを一定の条件で貼り、かつ、特定の素材成分からなるシート状の特性を生かして企業の情報発信の手段にできるという「便蓋の構造」と「衛生機能を有する特殊素材の組合せからなるシート」と「特殊素材シート表面への情報発信手段」との組合せに有る。
換言すれば、便蓋の開蓋時の小用を足す時間を有効に利用して便蓋裏面の情報を視認しながら情報内容を伝達し各種のＰＲ事業を行うことができると共に、便所や便器本体等の狭空間において殺菌滅菌等の機能を有効に発揮し便所を中心とした衛生環境保全を行うという新たなビジネスモデルの構築を行うことができる効果がある
【図面の簡単な説明】
【００１５】
【図１】本発明の実施形態における腰かけ便器を示す斜視図である。
【図２】本発明の実施形態における便蓋と機能シートを示す図１におけるＡ−Ａ端面図である。
【図３】本発明の実施形態における腰かけ便器の便蓋を閉塞した状態を示す斜視図である。
【図４】本発明の実施形態における便蓋と便座と便器の関係を示す図３におけるＢ−Ｂ端面図である。
【図５】本発明の実施形態におけるビジネスモデルを示す図である。
【発明を実施するための形態】
【００１６】
この発明の実施例を図面に基づき詳細に説明する。
図１は、便器本体ボウル部１０の便蓋２０を開放した状態で便蓋２０の裏面（内側）に機能シート３０を貼付した状態を示している。
【００１７】
機能シート３０は大きさを略Ａ４タイプの横置き型として使用する。
この大きさの規格は通常の便蓋２０の大きさを勘案していずれの便蓋２０に対しても便蓋２０の内面に横長に貼付することができる最大公約数的なサイズである。
本発明の実施例では、便器本体ボウル部１０の周縁部上面に脚体を介して平面視О型或いはＣ型の便座を一定厚みの空気流通空間を介して保持して載置している。
【００１８】
すなわち、便器本体ボウル部１０の周縁部上面には便座４０下面に垂設した脚体４１を介して平面視О型或いはＣ型の便座４０を載置自在とし、脚体４１の長さによって便器本体ボウル部１０と便座４０との間に一定高さの空気流通空間Ｓを形成している。
しかも、便座４０上面に便蓋２０を載置した際に便蓋２０の側周壁を下方に伸延して便座４０の側周面から空気流通空間Ｓに至る伸延部分を形成してこれを囲い壁体２１としている。すなわち、囲い壁体２１によって空気流通空間Ｓを外周側方向から囲繞し被覆した状態としている。
【００１９】
また、便蓋２０の下面である裏面には蓋用脚体２２を前後左右の四か所に突設しており、閉蓋時には蓋用脚体２２、２２が便座４０上に載置されて便蓋２０を支持する。しかも、便蓋２０の蓋前側の左右蓋用脚体２２、２２と後側の左右の蓋用脚体２２、２２とで囲繞された略方形の空間部分に横長手状の略方形の機能シート３０を貼付している。なお、機能シート３０は多層構造として後述するように殺菌・除菌・抗菌等の機能を有するように構成されている。
【００２０】
更には、便蓋２０を閉蓋した際に機能シート３０の前端縁と便座４０前部との間の空間を機能シート３０の後端縁と便座４０後部との間の空間より長く形成することにより殺菌、滅菌等の機能を有する腰かけ便器Ｔの便蓋２０構造を構成している。
なお、便蓋２０の下面（裏面）に蓋用脚体２２を前後左右の四か所に突設する構造は必要に応じて構成するものであり、便器本体の構造によっては蓋用脚体２２が不要となることもある。
【００２１】
次に、殺菌・除菌・抗菌等の機能を有する機能シート３０について詳説する。
機能シート３０を構成するシート本体３２は、表面に漆喰コート３２Ａを形成しその表面にプライマー層３２Ｂを形成し、更にその表面にＰＥＴ（ポリエステル）フィルム３２Ｃを重ね、更にアクリル系粘着剤３２Ｄを塗布し、その表面に樹脂製剥離紙３２Ｅを剥離自在に貼着して構成している。
【００２２】
殺菌・除菌・抗菌等の機能を有する機能シート３０はシート本体３２の表面に薬剤３３を塗布し、該薬剤３３は水酸化カルシウムを基剤としスサ、海藻糊、水性塗料樹脂を混合して形成したことを特徴とする。
【００２３】
また、シート本体３２に塗布した薬剤面には、後述するように宣伝広告の機能を有する文字や図形を印刷することができるようにしている。
【００２４】
しかも、機能シート３０の前端縁と便座４０前部との空間の長さは、便蓋２０を便座４０に閉蓋した状態において機能シート３０の後端縁と便座４０後部との間の空間より長くしている。
すなわち、便座４０を倒して便器を使用する際、例えば、用を足す際に便座４０後部に着座者の尻部を載置するときに便座４０の前端部は着座されない空間部となっている。従って、便座４０表面への機能シート３０の滅菌等の作用範囲は便座４０前端部には不要である。それよりも便座４０後部に機能シート３０の滅菌等の機能作用範囲を集中的に及ぼす方がよい。
そのためには便蓋２０を便座４０に閉蓋した際に機能シート３０の前端縁と便座４０前部との空間の全長は機能シート３０の後端縁と便座４０後部との間の空間より大としており、機能シート３０の有効に機能する範囲を尻部が載置接触する便座４０後半部分に限定した構成としている。
他方、機能シート３０の前端縁と便座前部との空間全長は機能シート３０の後端縁と便座後部との間の空間より大としている。
【００２５】
このように構成することにより、便器内部と共に便器外の便所空間部分に対しても殺菌等の機能を果たしやすいようにしている。すなわち、尻部が接触しやすい便座４０表面、特に便座４０の後半部に主体的に機能シート３０の殺菌等の機能を作用させて尻部の接触便座部分に対して殺菌等を行う。しかも、股間部から便座４０前部までの前方空間部分においては機能シート３０の薬効成分が分散し便器外の便所空間部分に発散し空間殺菌を行うことができるようにしている。
【００２６】
このように便座４０の前方には股間を中心とした一定の広がりの空間を形成して便器の周辺空間と連通状態として機能シート３０からの薬効成分をこの便座４０前部の股間空間から大気中に発散して便器周辺を含む便所内空間に殺菌等の機能を及ぼすことができる。
【００２７】
このような薬効成分の発散機能エリアを便座４０の前半部と後半部に分担させて股間部や尻部や便座内部や便所内空間部にそれぞれ殺菌等の薬効を機能させて便所全体に係る衛生環境の向上を図ることができるように構成している。
【００２８】
更には、用を足すために便座４０を閉蓋して尻部を便座４０の後部に着座した状態では便座４０の前方は一定の空間が生起して便器の周辺空間と連通状態となり機能シート３０からの薬効成分はこの便座４０の前部の空間から大気中に発散し便器の周辺を含む便所内空間で殺菌等の機能を果たすことができる。
【００２９】
殺菌・除菌・抗菌等の機能を有する機能シート３０は、基本的にはＣａ（ＯＨ）２消石灰を漆喰塗料として使用すると共に、これにスサ、海藻糊、水性塗料樹脂を混合して構成している。
また、殺菌・除菌・抗菌等の機能を有する機能シート３０の基板となるシート本体３２は、漆喰コート３２Ａを基板としてその表面にプライマー層３２Ｂを形成し、更にその表面にＰＥＴ（ポリエステル）フィルム３２Ｃを重ね、更にアクリル系粘着剤３２Ｄを塗布し、その表面に樹脂製剥離紙３２Ｅを剥離自在に接着して構成している。
【００３０】
具体的には、Ｃａ（ＯＨ）２消石灰は０.３６ｋｇ／ｍ２の量を使用している。
また、機能シート３０の裏面には粘着剤３１を塗布しており、この粘着剤３１はアクリルゴムを使用する。
かかる機能シート３０は、大腸菌、黄色ブドウ球菌、緑膿菌、ＭＲＳＡに対する抗菌性を有し、また、ノロウイルス、インフルエンザウイルスを不活性化する抗ウイルス機能を有し、ペット臭やたばこ臭や生ごみ臭等の生活臭やトイレ臭を除去する消臭機能を有する。
以下に、かかる構成の殺菌・除菌・抗菌等の機能を有する機能シート３０の各種性能試験の結果を表記する。
【００３１】
<消臭性能試験>
かかる効果を検証するために本発明の機能シート３０を用いて、アンモニア、酢酸、メチルメルカブタン、硫化水素、インドールに対する消臭性能を試験した。その試験方法は、繊維評価技術協議会法の消臭性試験、及びＳＥＫマーク繊維製品認証基準用に基づき、２０℃、湿度６５％環境下で２４時間以上調湿された１００ｃｍ２（インドールのみ５０ｃｍ２）の機能シート３０を使用し、該機能シート３０を５Ｌのサンプリングバッグ内に封入し、３０分後、２時間後、２４時間後の揮発するガス濃度を検知管法又はガスクロマトグラフ法により測定した。それぞれのサンプリングバッグ内のガス初期濃度はアンモニア１００ｐｐｍ、酢酸３０ｐｐｍ、メチルメルカブタン８ｐｐｍ、硫化水素４ｐｐｍ、インドール３３ｐｐｍであり、所定時間経過後の濃度は表１〜表５に示すとおりである。
【００３２】
【表１】
2022002554.tif 000003
【００３３】
【表２】
2022002554.tif 000004
【００３４】
【表３】
2022002554.tif 000005
【００３５】
【表４】
2022002554.tif 000006
【００３６】
【表５】
2022002554.tif 000007
【００３７】
上記条件下で測定した結果、表１〜５に示すように、測定した４成分について２４時間後には初期測定値と比較して約９０％の減少が確認された。
【００３８】
<抗菌性能試験>
また、本発明者は抗菌加工製品抗菌性試験方法、ＪＩＳＺ２８０１−２０００に従い、シャーレに菌を接種し、無加工状態と抗菌加工した状態で周囲温度３５℃、相対湿度９０％以上の条件下で２４時間培養し、菌液接種直後及び２４時間培養後の機能シート３０の試料片３個の生菌数を測定することで機能シート３０の抗菌性能についても確認した。本試験では、大腸菌、黄色ぶどう球菌、緑膿菌、ＭＲＳＡの４種類について測定した。その測定結果を表６に示す。
【００３９】
【表６】
2022002554.tif 000008
【００４０】
上記条件下で測定した結果、表６に示すように、無加工のシャーレ内においては測定した全ての菌が２４時間後には増加したのに対して、本件発明の機能シート３０の試料片を同梱したシャーレ内ではほぼ全ての菌が死滅しており検出されなかった。
【００４１】
＜抗ウイルス性能試験＞
また、本発明者は抗ウイルスの検証実験として、本件発明の機能シート３０の試料片を内包したシャーレと、何も内包していない空のシャーレを準備し、それぞれのシャーレ内にウイルス液を注入し、３０分放置後、６０分放置後のそれぞれのシャーレ内におけるウイルスの感染価について確認した。この試験では、抗菌性能について確認するため、抗ウイルス塗料単独で実験した結果、抗ウイルス塗料の中性化を促進した塗料を塗布した機能シート３０の試料片を内包したもの、抗ウイルスシートのみをシャーレに内包したものの３条件にシャーレ内に何も内包しない条件を追加した４条件を確認した。また、この実験で使用されるウイルス液はエンベロープウイルスとノンエンベロープウイルスの２種類とし、さらに、エンベロープウイルスはインフルエンザウイルス、水泡性口内炎ウイルス、ウシ丘疹性口炎ウイルスの３種類であり、ノンエンベロープウイルスはイヌパルボウウイルスである。その結果としてインフルエンザウイルスに関してのみ表７に示す。
【００４２】
【表７】
2022002554.tif 000009
【００４３】
上記条件下で測定した結果、表７に示すようにシャーレ内に本件発明の機能シート３０の試料片とウイルス液を同梱したシャーレではウイルス液のみをシャーレ内に内包した条件と比較して約９９％のウイルスの減少が確認された。
【００４４】
かかる機能シート３０のシート本体３２に浸漬した薬剤３３の機能は次のようなメカニズムによって生成される。
すなわち、薬剤３３の塗幕表面や内部には多数の細孔があり、その分表面積が広くウイルス液はかかる広範囲の面積の薬剤３３と接触する。ウイルス液が薬剤３３に付着するとウイルスの周辺の水分は薬剤３３を構成するＣａ（ＯＨ）２消石灰によって強アルカリ性となりウイルス液の強アルカリ性化によってウイルスの構造が破壊され感染価が減少する。
すなわち、ウイルスの周囲環境が強アルカリ性になると脂質やたんぱく質の変性を引き起こしウイルスの構造が破壊される。
ウイルスは一般に咳、くしゃみによる飛沫中吐しゃ物など水分と共に存在する。薬剤３３のこのような機能により抗菌、抗ウイルス効果が発揮される。
【００４５】
かかる殺菌等の機能を有する腰かけ便器Ｔは、便蓋２０を閉めて殺菌等を行うことによって機能する。すなわち、便蓋２０を閉めた状態で水洗をすることにより機能シート３０は汚物等に対して対面状態で接することになり水洗で便器本体ボウル部１０内に飛散するウイルス等の菌を機能シート３０で吸着し殺菌する。
すなわち、通常、便蓋２０を開放して水洗すると便器本体ボウル部１０内を洗浄する水流により排便等に含まれているウイルスや細菌が便蓋２０を解放した便器本体ボウル部１０内から便所内空間にばら撒かれ、しかも、空中にばら撒かれたウイルスの潜伏期間が９０分以上もあるため次に腰かけ便器Ｔを使用する人への二次感染を引き起こす危険性がある。
【００４６】
かかる感染を防止するために本件発明の腰かけ便器Ｔは、便蓋２０の裏面に一定の規制の下で機能シート３０を貼着して便蓋２０を閉めて水洗することにより殺菌機能を果たすと共に、着座して用を足す場合には機能シート３０の位置と便器の特徴的な構造によって便器本体内部から便所空間内にも殺菌機能を及ぼすことができるという本件の特徴的な技術が生成された。
【００４７】
本件発明の重要な特徴はかかる機能シート３０の貼着箇所と便蓋２０の開閉蓋構造とにあることがわかる。
【００４８】
図３及び図４に示すように、便座４０の裏面、すなわち、便器本体ボウル部１０の周縁部との間には緩衝材としてゴムなどの弾性体で構成された脚体４１がスペーサとして配設されており、該スペーサが脚体４１として介在することにより便蓋２０を閉塞した場合でも便器本体ボウル部１０と便座４０との間に若干の隙間が形成され便蓋２０を閉塞した状態でもこの隙間から機能シート３０に塗布した薬剤３３が拡散機能して便所内空間にも殺菌等の機能を果たすことができる。
【００４９】
本発明の実施例では、便器本体ボウル部１０の周縁部上面に脚体４１を介して平面視О型或いはＣ型の便座４０を一定厚みの空気流通空間Ｓを介して保持載置されている。
すなわち、便器本体ボウル部１０の周縁部上面には便座４０下面に垂設した脚体４１を介して平面視О型或いはＣ型の便座４０を載置自在とし、脚体４１の長さによって便器本体ボウル部１０と便座４０との間に一定高さの空気流通空間Ｓを形成し、しかも、便座４０上面に便蓋２０を載置した際に便蓋２０の側周壁を下方に伸延して便座４０の側周面から空気流通空間Ｓに至る伸延部分を形成してこれを囲い壁体２１とし、囲い壁体２１によって空気流通空間Ｓを外周側方向から囲繞し被覆した構成としている。
【００５０】
また、便蓋２０の下面である裏面には蓋用脚体２２を前後左右の四か所に突設しており、閉蓋時には蓋用脚体２２が便座上に載置されて便蓋２０を支持する。
【００５１】
また、図２に示すように、殺菌・除菌・抗菌等の機能を有する機能シート３０は、紙質のシート本体３２の表面に薬剤３３を塗布し、裏面に粘着剤３１、例えば、アクリルゴムを塗布すると共に、薬剤３３としては水酸化カルシウムを基本としたことにあり、しかも、塗布した薬剤３３の表面或いは機能シート３０の表面には宣伝広告の機能も具備する文字や図形を印刷して印字面３４を形成している。
そのため、腰かけ便器Ｔの使用者は使用時に便蓋２０を開けると便蓋２０の開放と同時に機能シート３０が眼前に現れて用を足す間に機能シート３０に印刷された印字面３４の宣伝広告表示を認識することができ殺菌等の機能と共に広告宣伝機能も有する。
【００５２】
このように塗布した薬剤３３表面には宣伝広告の機能を具備する文字や図形を印刷することにより、便蓋２０を上げて使用する際には殺菌等の機能と共に、便蓋２０裏面に貼付された印刷済みシート本体３２が閉蓋状態から露出することになり使用者は必然的にシート本体３２の印刷内容を視認することができる。すなわち、広告宣伝機能も果たすことができ、広告スポンサーからのスポンサー料の発生によって広告宣伝の有料化を図り機能シート３０のコスト低減や機能シート３０の取換えによるシート販売ビジネス事業に役立てることができるという経済的な効果もある。
【００５３】
本発明では便所における殺菌等の環境衛生を指向しながら同時に各種のＰＲ情報を発信することができるため、情報発信元の企業の事業発展に貢献しながら環境整備にも貢献しているという企業イメージのアップを図るビジネスモデルの構築が行える。従って、企業にとってはかかるビジネスモデルを売込む事業ともなる。
図５は、本発明をかかるビジネスモデルの材料として活用した場合のビジネスモデル当事者間における相関関係の説明図である。
【００５４】
従来、かかる機能シート３０を身辺に貼付する考え方は有るが、本件発明では、「便蓋裏面への機能シートの貼付」によって、用を足す人が情報を見ながらゆとりを持って情報の内容を確認することができるという「便所という狭空間における学習機能」と、かつ「便所における殺菌滅菌等の衛生機構向上」との両方の目的を図ることができることに特徴を有するのであり、かかる特徴が従来の技術にはないものである。
【符号の説明】
【００５５】
Ｔ    腰かけ便器
１０    便器本体ボウル部
２０    便蓋
２１    囲い壁体
２２    蓋用脚体
３０    機能シート
３１    粘着剤
３２    シート本体
３２Ａ  漆喰コート
３２Ｂ  プライマー層
３２Ｃ  ＰＥＴフィルム
３２Ｄ  アクリル系粘着剤
３２Ｅ  樹脂製剥離紙
３３    薬剤
３４    印字面
４０    便座
４１    脚体
【図１】
2022002554.tif 000010
【図２】
2022002554.tif 000011
【図３】
2022002554.tif 000012
【図４】
2022002554.tif 000013
【図５】
2022002554.tif 000014
【手続補正書】
【提出日】令和3年6月8日(2021.6.8)
【手続補正１】
【補正対象書類名】明細書
【補正対象項目名】全文
【補正方法】変更
【補正の内容】
【発明の詳細な説明】
【技術分野】
【０００１】
本発明は、殺菌・滅菌・抗菌の機能を有する腰かけ便器に関する。
【背景技術】
【０００２】
従来、腰かけ便器と殺菌・滅菌機能を付与したシートとを組み合わせて便器本体のボウル部の内部や便所空間全体を殺菌したり滅菌したりする技術は多々ある。
例えば、腰かけ便器の便蓋の内周縁にホルダーを取りつけてホルダー内に芳香剤や除菌剤や消臭剤などを収納したものや、便所内空間の特定の位置、例えば壁面とか壁体と便器間の空間等に光触媒を坦持した殺菌、滅菌機能を有するシートを貼付するもの等がある（特許文献１、２、３）。
【先行技術文献】
【特許文献】
【０００３】
【特許文献１】実登３１９８７８６号公報
【特許文献２】特開２００５−１５２２０７号公報
【特許文献３】特開２０１８−０３８７８２号公報
【発明の概要】
【発明が解決しようとする課題】
【０００４】
このように腰かけ便器に殺菌機能を有するシートを貼付したり殺菌剤収納のケースを便器近傍に取付ける技術がある。
これらの技術は便器本体のボウル内部やその周辺空間に殺菌機能や抗菌機能を及ぼすようにしたものであるが、腰かけ便器を設置した便所では便蓋の開蓋状況と閉蓋状況とでは衛生環境が大きく異なるために殺菌や抗菌の機能を便所内空間や便器内部に均等に、かつ、便蓋の開閉状態にかかわらず常時及ぼすことができなかった。
【０００５】
本件発明では、これらの殺菌滅菌の機能を広い範囲で最大限に発揮できるように腰かけ便器の便蓋の周縁部に特殊な形状加工をし、かつ、混合薬剤を塗布した殺菌シートを貼設すると共に、殺菌シートの本体も特定の素材の積層により構成することにより、腰かけ便器における便蓋の開閉状況にかかわらず殺菌シートの機能を便所内の各所に均一に発揮することができるようにした。しかも、殺菌シートはその表面には各種の広告宣伝表示を印刷しうるような素材で構成して人が便所内空間で用を足す時間を有効に利用してビジネス情報の伝達機能も兼ねるようにした。
【課題を解決するための手段】
【０００６】
この発明は、便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とし、便蓋の周縁部には囲い壁体を形成し、また、各蓋用脚体で囲繞された空間部分の便蓋裏面に略方形の殺菌・滅菌・抗菌の機能を有する機能シートを貼付し、機能シートのシート本体は、表面に漆喰コートを形成しその表面にプライマー層を形成し、更にその表面にＰＥＴ（ポリエステル）フイルムを重ね、更にアクリル系粘着剤を塗布し、その表面に樹脂製剥離紙を剥離自在に貼着して構成すると共に、殺菌・滅菌・抗菌の機能を有する漆喰コート表面のプライマー層は漆喰コートの表面に塗布した薬剤よりなり、該薬剤は水酸化カルシウムを基剤としスサ、海藻糊、水性塗料樹脂を混合して形成し、しかも、便蓋を閉蓋した際に機能シートの前端縁と便座前部との間の空間の距離を機能シートの後端縁と便座後部との間の空間の距離より長く形成し、シート本体の薬剤面には宣伝広告機能を有する文字や図形を印刷したことを特徴とする殺菌等機能を有する腰かけ便器を提供せんとするものである。
【発明の効果】
【０００７】
請求項１に係る発明によれば、便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とし、便蓋の周縁部には囲い壁体を形成し、各蓋用脚体で囲繞された略方形の空間部分の便蓋裏面に略方形の殺菌・滅菌・抗菌の機能を有する機能シートを貼付し、機能シートのシート本体は、表面に漆喰コートを形成しその表面にプライマー層を形成し、更にその表面にPET（ポリエステル）フイルムを重ね、更にアクリル系粘着剤を塗布し、その表面に樹脂製剥離紙を剥離自在に貼着して構成すると共に、殺菌・滅菌・抗菌の機能を有する漆喰コート表面のプライマー層は漆喰コートの表面に塗布した薬剤よりなり、該薬剤は水酸化カルシウムを基剤としスサ、海藻糊、水性塗料樹脂を混合して形成し、しかも、便蓋を閉蓋した際に機能シートの前端縁と便座前部との間の空間の距離を機能シートの後端縁と便座後部との間の空間の距離より長く形成し、シート本体の薬剤面には宣伝広告機能を有する文字や図形を印刷したことにより、簡易な構造にもかかわらず便器本体、便所内空間のいずれにも有効な殺菌・滅菌・抗菌効果を及ぼすことができる。
すなわち、一般に通常の便座使用形態では、便座前部の空間部分には尻部は位置しないため便座前半部に対しては機能シートによる殺菌機能を及ぼす必要性は無い。このような位置関係においては便蓋を閉蓋した際に便蓋裏側に張った機能シートの前端縁と便座前部との間の空間長さを機能シートの後端縁と便座後部との間の空間長さより長くしておく方が殺菌抗菌効率が良好である。
【０００８】
他方、便蓋を開蓋して着座し用を足している間は着座した尻部の接触する便座中心位置では既に閉蓋時において便座表面へ殺菌・滅菌・抗菌の機能が及んでいるため尻部と共に便座表面に対する殺菌等の機能が十分に作用していた。しかも、用を足している間には既に便蓋の閉蓋時に便器ボウルに充満していた殺菌・滅菌・抗菌の薬剤の機能は便座前端と着座した股部との間の空間から気化漏洩してボウル部外にも拡散し便所内空間にも殺菌などの機能を及ぶすことができる。
また、用を足していない状態、すなわち、便蓋を垂直に開放し着座していない状態の場合には、便蓋の内側に貼着した機能シートは大気に露出し便所内空間のほぼ全域にわたって殺菌等の機能を及ぼすことができる。
従って、男性が小用のために便蓋を垂直に開蓋して用を足している場合は周辺に尿飛散が生起しても機能シートが大気に対して露出し便所内空間にわたって殺菌等の機能を及ぼすことができる効果がある。
【０００９】
更には、殺菌・滅菌・抗菌の機能を有する機能シート表面に水酸化カルシウムを基剤としたスサ、海藻糊、水性塗料樹脂等の混合薬剤が密着塗布され、かかる機能シートは薬剤担持手段として有効に長時間担持機能を保有して容易に薬剤が剥離することなく殺菌等の機能を維持することができる効果がある。
特に、薬剤が水酸化カルシウムを基剤としスサ、海藻糊、水性塗料樹脂を混合して形成しているためにシート本体の紙質表面に容易に塗布密着することができ、しかも薬剤の塗布厚さの調整により薬剤の効能期間や効能力の調整をすることができる効果がある。
更には、シート本体は基板とプライマー層とＰＥＴ（ポリエステル）フイルムとアクリル系粘着剤と剥離紙とにより構成しているため薬剤の塗布密着効果が高く剥離紙の剥離作業も行いやすく貼付作業に便利であり、かつ剥離紙の剥離作業のみで便蓋の裏面に容易に貼着することができると共に薬剤の保持機能も十分にあり使用勝手が簡便で有用な効果がある。
また、殺菌等の機能の減退時にシート本体の取り換えを行う際も便蓋裏面から剥離して貼着し直すだけの作業であるためシート本体の交換も便利であり、シート本体の販売及び取り換え事業を衛生向上のためのビジネスと一体として便器周辺の殺菌抗菌等の衛生目的のビジネスモデルとして構築することもできる。
【００１０】
更には、シート本体の薬効成分により殺菌・滅菌・抗菌の機能を有効に発揮することができ、薬剤をシート本体に長期間確実に坦持することできる効果がある。
また、水性塗料樹脂を含む薬剤であるためにその表面に各種印刷が容易に行えると共にインクの付着も良好であるため各種の情報を印刷することができ、殺菌・滅菌・抗菌の衛生事業に宣伝表示機能を付加して新しいビジネスモデルを構築することができる。
すなわち、塗布した薬剤表面には宣伝広告の機能を具備する文字や図形を印刷することにより、便蓋を上げて使用する際には殺菌等の機能と共に、便蓋裏面に貼付された印刷済みシート本体が大気に露出し用を足すものは必然的にシート本体の印刷内容を視認することができる。従って、広告宣伝機能を大いに発揮することができるために、広告スポンサーの有料化により機能シートのコストの低減やかかるシート本体の販売ビジネス事業にも役立てることができる効果もある。
ビジネスモデルの観点からは、便所における殺菌等の環境衛生を指向しながら同時に各種のＰＲ情報を発信することができるため、情報発信元の企業の事業発展に貢献しながら環境衛生にも貢献しているという企業イメージのアップにつながる。
このように本件発明によれば、便所内での殺菌・滅菌・抗菌の目的とした企業イメージの向上というビジネスモデルの構築も行うことができる効果がある。
【００１１】
従来、日常周辺の衛生環境を改善するために上記した薬剤に類似する機能シートを壁面や什器備品表面等の各所に貼設する技術思想は多々存在する。しかし、殺菌等の効果を便所空間や便器ボウル部に限って効率的に行うような殺菌等の機能シートは存在していなかった。そこで、本発明者は本出願の前に特に便所周辺の環境に対する殺菌や滅菌や消毒等の機能に特化しながら衛生向上や健康志向のビジネスモデル的活動に貢献することができるような技術開発をして特許出願した。しかし、この出願の発明は、便蓋の裏面に機能シートを貼付する点で類似するものであるが、便座と機能シートの位置関係があいまいであり着座した状態で便器のボウル部内とその周辺において最も効果的な機能シートの殺菌機能を果たすことができるものではなかった。
本発明では殺菌・滅菌・抗菌の機能シートを便座と一定の位置条件の関係で便蓋裏面に貼り、かつ、特定の素材成分からなるシート状の特性を生かして企業の情報発信の手段にできるようにして「便蓋と機能シートの関係構造」と「衛生機能を有する特殊素材の組合せからなるシート」と「特殊素材シート表面への情報発信手段」との組合せに技術的な特徴を持たせ、本発明者の便蓋裏面へ機能シート貼るという先願発明に勝る技術を提供せんとする。
同時に、便蓋の開蓋時の小用を足す時間を有効に利用して便蓋裏面の情報を視認しながら情報内容を伝達し各種のＰＲ事業を行うことができると共に、便所や便器本体等の狭空間において殺菌・滅菌・抗菌機能を有効に発揮し便所を中心とした衛生環境保全を行うという新たなビジネスモデルの構築のきっかけともなる効果を奏することができる。
【図面の簡単な説明】
【００１２】
【図１】本発明の実施形態における腰かけ便器を示す斜視図である。
【図２】本発明の実施形態における便蓋と機能シートを示す図１におけるＡ−Ａ端面図である。
【図３】本発明の実施形態における腰かけ便器の便蓋を閉塞した状態を示す斜視図である。
【図４】本発明の実施形態における便蓋と便座と便器の関係を示す図３におけるＢ−Ｂ端面図である。
【図５】本発明の実施形態におけるビジネスモデルを示す図である。
【発明を実施するための形態】
【００１３】
この発明の実施例を図面に基づき詳細に説明する。
図１は、便器本体ボウル部１０の便蓋２０を開放した状態で便蓋２０の裏面（内側）に機能シート３０を貼付した状態を示している。
【００１４】
機能シート３０は大きさを略Ａ４タイプの横置き型として使用する。
この大きさの規格は通常の便蓋２０の大きさを勘案していずれの便蓋２０に対しても便蓋２０の内面に横長に貼付することができる最大公約数的なサイズである。
本発明の実施例では、便器本体ボウル部１０の周縁部上面に脚体を介して平面視О型或いはＣ型の便座を一定厚みの空気流通空間を介して保持して載置している。
【００１５】
すなわち、便器本体ボウル部１０の周縁部上面には便座４０下面に垂設した脚体４１を介して平面視О型或いはＣ型の便座４０を載置自在とし、脚体４１の長さによって便器本体ボウル部１０と便座４０との間に一定高さの空気流通空間Ｓを形成している。
しかも、便座４０上面に便蓋２０を載置した際に便蓋２０の側周壁を下方に伸延して囲い壁体２１を形成している。
【００１６】
また、便蓋２０の裏面には蓋用脚体２２を前後左右の四か所に突設しており、閉蓋時には蓋用脚体２２、２２が便座４０上に載置されて便蓋２０を支持する。しかも、便蓋２０の蓋前側の左右蓋用脚体２２、２２と後側の左右の蓋用脚体２２、２２とで囲繞された略方形の裏面空間部分に横長手状の略方形の機能シート３０を貼付している。なお、機能シート３０は多層構造として後述するように殺菌・滅菌・抗菌の機能を有するように構成されている。
【００１７】
更には、便蓋２０を閉蓋した際に機能シート３０の前端縁と便座４０前部との間の空間距離を機能シート３０の後端縁と便座４０後部との間の空間距離より長く形成することにより殺菌・滅菌・抗菌の機能を有する腰かけ便器Ｔの便蓋２０構造を構成している。
なお、便蓋２０の下面（裏面）に蓋用脚体２２を前後左右の四か所に突設する構造は必要に応じて構成するものであり、便器本体の構造によっては蓋用脚体２２が不要となることもある。
【００１８】
次に、殺菌・滅菌・抗菌の機能を有する機能シート３０について詳説する。
機能シート３０を構成するシート本体３２は、表面に漆喰コート３２Ａを形成しその表面にプライマー層３２Ｂを形成し、更にその表面にＰＥＴ（ポリエステル）フイルム３２Ｃを重ね、更にアクリル系粘着剤３２Ｄを塗布し、その表面に樹脂製剥離紙３２Ｅを剥離自在に貼着して構成している。
【００１９】
殺菌・滅菌・抗菌の機能を有する機能シート３０はシート本体３２におけるプライマー層表面に薬剤３３を塗布し、該薬剤３３は水酸化カルシウムを基剤としスサ、海藻糊、水性塗料樹脂を混合して形成したことを特徴とする。
【００２０】
また、シート本体３２に塗布した薬剤面には、後述するように宣伝広告の機能を有する文字や図形を印刷することができるようにしている。
【００２１】
しかも、機能シート３０の前端縁と便座４０前部との空間距離の長さは、便蓋２０を便座４０に閉蓋した状態において機能シート３０の後端縁と便座４０後部との間の空間距離より長くしている。
すなわち、便座４０を倒して便器を使用する際、例えば、用を足す際に便座４０後部に着座者の尻部を載置するときに便座４０の前端部は着座されない空間部となっている。従って、便座４０表面への機能シート３０の滅菌等の作用範囲は便座４０前端部には不要である。それよりも便座４０後部に機能シート３０の滅菌等の機能作用範囲を集中的に及ぼす方がよい。
そのためには便蓋２０を便座４０に閉蓋した際に機能シート３０の前端縁と便座４０前部との空間の距離の全長は機能シート３０の後端縁と便座４０後部との間の空間の距離より大としており、機能シート３０の有効に機能する範囲を尻部が載置接触する便座４０後半部分に限定し構成としている。
他方、機能シート３０の前端縁と便座前部との空間距離全長は機能シート３０の後端縁と便座後部との間の空間距離より大としている。
【００２２】
このように構成することにより、便器内部と共に便器外の便所空間部分に対しても殺菌・滅菌・抗菌の機能を果たしやすいようにしている。すなわち、尻部が接触しやすい便座４０表面、特に便座４０の後半部に主体的に機能シート３０の殺菌等の機能を作用させて尻部の接触便座部分に対して殺菌等を行う。しかも、股間部から便座４０前部までの前方空間部分においては機能シート３０の薬効成分が分散し便器外の便所空間部分に発散し空間殺菌を行うことができるようにしている。
【００２３】
このように便座４０の前方には股間を中心とした一定の広がりの空間を形成して便器の周辺空間と連通状態として機能シート３０からの薬効成分をこの便座４０前部の股間空間から大気中に発散して便器周辺を含む便所内空間に殺菌等の機能を及ぼすことができる。
【００２４】
このような薬効成分の発散機能エリアを便座４０の前半部と後半部に分担させて使用者の股間部や尻部や便座内部や便所内空間部にそれぞれ殺菌・滅菌・抗菌の薬効を機能させて便所全体に係る衛生環境の向上を図ることができるように構成している。
【００２５】
更には、用を足すために便座４０を閉蓋して尻部を便座４０の後部に着座した状態では便座４０の前方は一定の空間が生起して便器の周辺空間と連通状態となり機能シート３０からの薬効成分はこの便座４０の前部の空間から大気中に発散し便器の周辺を含む便所内空間で殺菌等の機能を果たすことができる。
【００２６】
殺菌・滅菌・抗菌の機能を有する機能シート３０は、基本的にはＣａ（ＯＨ）２消石灰を漆喰塗料として使用すると共に、これにスサ、海藻糊、水性塗料樹脂を混合して構成している。
また、殺菌・滅菌・抗菌の機能を有する機能シート３０の基板となるシート本体３２は、漆喰コート３２Ａを基板としてその表面にプライマー層３２Ｂを形成し、更にその表面にＰＥＴ（ポリエステル）フイルム３２Ｃを重ね、更にアクリル系粘着剤３２Ｄを塗布し、その表面に樹脂製剥離紙３２Ｅを剥離自在に接着して構成している。
【００２７】
具体的には、Ｃａ（ＯＨ）２消石灰は０.３６ｋｇ／ｍ２の量を使用している。
また、機能シート３０の裏面には粘着剤３１を塗布しており、この粘着剤３１はアクリルゴムを使用する。
かかる機能シート３０は、大腸菌、黄色ブドウ球菌、緑膿菌、ＭＲＳＡに対する抗菌性を有し、また、ノロウイルス、インフルエンザウイルスを不活性化する抗ウイルス機能を有し、ペット臭やたばこ臭や生ごみ臭等の生活臭やトイレ臭を除去する消臭機能を有する。
以下に、かかる構成の殺菌・滅菌・抗菌の機能を有する機能シート３０の各種性能試験の結果を表記する。
【００２８】
<消臭性能試験>
かかる効果を検証するために本発明の機能シート３０を用いて、アンモニア、酢酸、メチルメルカブタン、硫化水素、インドールに対する消臭性能を試験した。その試験方法は、繊維評価技術協議会法の消臭性試験、及びＳＥＫマーク繊維製品認証基準用に基づき、２０℃、湿度６５％環境下で２４時間以上調湿された１００ｃｍ２（インドールのみ５０ｃｍ２）の機能シート３０を使用し、該機能シート３０を５Ｌのサンプリングバッグ内に封入し、３０分後、２時間後、２４時間後の揮発するガス濃度を検知管法又はガスクロマトグラフ法により測定した。それぞれのサンプリングバッグ内のガス初期濃度はアンモニア１００ｐｐｍ、酢酸３０ｐｐｍ、メチルメルカブタン８ｐｐｍ、硫化水素４ｐｐｍ、インドール３３ｐｐｍであり、所定時間経過後の濃度は表１〜表５に示すとおりである。
【００２９】
【表１】
2022002554.tif 000015
【００３０】
【表２】
2022002554.tif 000016
【００３１】
【表３】
2022002554.tif 000017
【００３２】
【表４】
2022002554.tif 000018
【００３３】
【表５】
2022002554.tif 000019
【００３４】
上記条件下で測定した結果、表１〜５に示すように、測定した４成分について２４時間後には所期測定値と比較して約９０％の減少が確認された。
【００３５】
<抗菌性能試験>
また、本発明者は抗菌加工製品抗菌性試験方法、ＪＩＳＺ２８０１−２０００に従い、シャーレに菌を接種し、無加工状態と抗菌加工した状態で周囲温度３５℃、相対湿度９０％以上の条件下で２４時間培養し、菌液接種直後及び２４時間培養後の機能シート３０の試料片３個の生菌数を測定することで機能シート３０の抗菌性能についても確認した。本試験では、大腸菌、黄色ぶどう球菌、緑膿菌、ＭＲＳＡの４種類について測定した。その測定結果を表６に示す。
【００３６】
【表６】
2022002554.tif 000020
【００３７】
上記条件下で測定した結果、表６に示すように、無加工のシャーレ内においては測定した全ての菌が２４時間後には増加したのに対して、本件発明の機能シート３０の試料片を同梱したシャーレ内ではほぼ全ての菌が死滅しており検出されなかった。
【００３８】
＜抗ウイルス性能試験＞
また、本発明者は抗ウイルスの検証実験として、本件発明の機能シート３０の試料片を内包したシャーレと、何も内包していない空のシャーレを準備し、それぞれのシャーレ内にウイルス液を注入し、３０分放置後、６０分放置後のそれぞれのシャーレ内におけるウイルスの感染価について確認した。この試験では、抗菌性能について確認するため、抗ウイルス塗料単独で実験した結果、抗ウイルス塗料の中性化を促進した塗料を塗布した機能シート３０の試料片を内包したもの、抗ウイルスシートのみをシャーレに内包したものの３条件にシャーレ内に何も内包しない条件を追加した４条件を確認した。また、この実験で使用されるウイルス液はエンベロープウイルスとノンエンベロープウイルスの２種類とし、さらに、エンベロープウイルスはインフルエンザウイルス、水泡性口内炎ウイルス、ウシ丘疹性口炎ウイルスの３種類であり、ノンエンベロープウイルスはイヌパルボウウイルスである。その結果としてインフルエンザウイルスに関してのみ表７に示す。
【００３９】
【表７】
2022002554.tif 000021
【００４０】
上記条件下で測定した結果、表７に示すようにシャーレ内に本件発明の機能シート３０の試料片とウイルス液を同梱したシャーレではウイルス液のみをシャーレ内に内包した条件と比較して約９９％のウイルスの減少が確認された。
【００４１】
かかる機能シート３０のシート本体３２に浸漬した薬剤３３の機能は次のようなメカニズムによって生成される。
すなわち、薬剤３３の塗幕表面や内部には多数の細孔があり、その分表面積が広くウイルス液はかかる広範囲の面積の薬剤３３と接触する。ウイルス液が薬剤３３に付着するとウイルスの周辺の水分は薬剤３３を構成するＣａ（ＯＨ）２消石灰によって強アルカリ性となりウイルス液の強アルカリ性化によってウイルスの構造が破壊され感染価が減少する。
すなわち、ウイルスの周囲環境が強アルカリ性になると脂質やたんぱく質の変性を引き起こしウイルスの構造が破壊される。
ウイルスは一般に咳、くしゃみによる飛沫中吐しゃ物など水分と共に存在する。薬剤３３のこのような機能により抗菌、抗ウイルス効果が発揮される。
【００４２】
かかる殺菌等の機能を有する腰かけ便器Ｔは、便蓋２０を閉めて殺菌等を行うことによって機能する。すなわち、便蓋２０を閉めた状態で水洗をすることにより機能シート３０は汚物等に対して対面状態で接することになり水洗で便器本体ボウル部１０内に飛散するウイルス等の菌を機能シート３０で吸着し殺菌する。
すなわち、通常、便蓋２０を開放して水洗すると便器本体ボウル部１０内を洗浄する水流により排便等に含まれているウイルスや細菌が便蓋２０を解放した便器本体ボウル部１０内から便所内空間にばら撒かれ、しかも、空中にばら撒かれたウイルスの潜伏期間が９０分以上もあるため次に腰かけ便器Ｔを使用する人への二次感染を引き起こす危険性がある。
【００４３】
かかる感染を防止するために本件発明の腰かけ便器Ｔは、便蓋２０の裏面に一定の規制の下で機能シート３０を貼着して便蓋２０を閉めて水洗することにより殺菌機能を果たすと共に、着座して用を足す場合には機能シート３０と便器便座との特徴的な位置関係構造によって便器本体内部から便所空間内にも殺菌機能を及ぼすことができるという本件の特徴的な技術が生成された。
【００４４】
本件発明の重要な特徴はかかる機能シート３０の貼着箇所と便蓋２０の開閉蓋構造とにあることがわかる。
【００４５】
図３及び図４に示すように、便座４０の裏面、すなわち、便器本体ボウル部１０の周縁部との間には緩衝材としてゴムなどの弾性体で構成された脚体４１がスペーサとして配設されており、該スペーサが脚体４１として介在することにより便蓋２０を閉塞した場合でも便器本体ボウル部１０と便座４０との間に若干の隙間が形成され便蓋２０を閉塞した状態でもこの隙間から機能シート３０に塗布した薬剤３３が拡散機能して便所内空間にも殺菌等の機能を果たすことができる。
【００４６】
本発明の実施例では、便器本体ボウル部１０の周縁部上面に脚体４１を介して平面視О型或いはＣ型の便座４０を一定厚みの空気流通空間Ｓを介して保持載置されている。
すなわち、便器本体ボウル部１０の周縁部上面には便座４０下面に垂設した脚体４１を介して平面視О型或いはＣ型の便座４０を載置自在とし、脚体４１の長さによって便器本体ボウル部１０と便座４０との間に一定高さの空気流通空間Ｓを形成し、しかも、便座４０上面に便蓋２０を載置した際に便蓋２０の側周壁を下方に伸延して囲い壁体２１とし、囲い壁体２１の内方に空気流通空間Ｓが形成されるように構成している。
【００４７】
また、便蓋２０の下面である裏面には蓋用脚体２２を前後左右の四か所に突設しており、閉蓋時には蓋用脚体２２が便座上に載置されて便蓋２０を支持する。
【００４８】
また、図２に示すように、殺菌・滅菌・抗菌の機能を有する機能シート３０は、紙質のシート本体３２の表面に薬剤３３を塗布し、裏面に粘着剤３１、例えば、アクリルゴムを塗布すると共に、薬剤３３としては水酸化カルシウムを基本としたことにあり、しかも、塗布した薬剤３３の表面或いは機能シート３０の表面には宣伝広告の機能も具備する文字や図形を印刷して印字面３４を形成している。
そのため、腰かけ便器Ｔの使用者は使用時に便蓋２０を開けると便蓋２０の開放と同時に機能シート３０が眼前に現れて用を足す間に機能シート３０に印刷された印字面３４の宣伝広告表示を認識することができ殺菌等の機能と共に広告宣伝機能も有する。
【００４９】
このように塗布した薬剤３３表面には宣伝広告の機能を具備する文字や図形を印刷することにより、便蓋２０を上げて使用する際には殺菌等の機能と共に、便蓋２０裏面に貼付された印刷済みシート本体３２が閉蓋状態から露出することになり使用者は必然的にシート本体３２の印刷内容を視認することができる。すなわち、広告宣伝機能も果たすことができ、広告スポンサーからのスポンサー料の発生によって広告宣伝の有料化を図り機能シート３０のコスト低減や機能シート３０の取換えによるシート販売ビジネス事業に役立てることができるという経済的な効果もある。
【００５０】
本発明では便所における殺菌等の環境衛生を指向しながら同時に各種のＰＲ情報を発信することができるため、情報発信元の企業の事業発展に貢献しながら環境整備にも貢献しているという企業イメージのアップを図るビジネスモデルの構築が行える。従って、企業にとってはかかるビジネスモデルを売込む事業ともなる。
図５は、本発明をかかるビジネスモデルの材料として活用した場合のビジネスモデル当事者間における相関関係の説明図である。
【００５１】
従来、かかる機能シート３０を壁面や什器備品表面に貼付して周辺空間への殺菌効果を果たす考え方は有るが、本件発明では、「便蓋裏面へ機能シートを貼付する」技術によって、用を足す使用者が情報を見ながらゆとりを持って情報内容を確認することができるという「便所という狭空間における情報取得機能」と、「便所内空間及び便器内部やその周辺における殺菌・滅菌・抗菌の衛生機構向上」との両方の目的を図ることができることに特徴を有するのであり、かかる特徴は従来の技術には本発明に特有の技術である。
【符号の説明】
【００５２】
Ｔ    腰かけ便器
１０    便器本体ボウル部
２０    便蓋
２１    囲い壁体
２２    蓋用脚体
３０    機能シート
３１    粘着剤
３２    シート本体
３２Ａ  漆喰コート
３２Ｂ  プライマー層
３２Ｃ  ＰＥＴフイルム
３２Ｄ  アクリル系粘着剤
３２Ｅ  樹脂製剥離紙
３３    薬剤
３４    印字面
４０    便座
４１    脚体
【手続補正２】
【補正対象書類名】特許請求の範囲
【補正対象項目名】全文
【補正方法】変更
【補正の内容】
【特許請求の範囲】
【請求項１】
便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とし、便蓋の周縁部には囲い壁体を形成し、
各蓋用脚体で囲繞された略方形の空間部分の便蓋裏面に略方形の殺菌・滅菌・抗菌の機能を有する機能シートを貼付し、
機能シートのシート本体は、表面に漆喰コートを形成しその表面にプライマー層を形成し、更にその表面にPET（ポリエステル）フイルムを重ね、更にアクリル系粘着剤を塗布し、その表面に樹脂製剥離紙を剥離自在に貼着して構成すると共に、殺菌・滅菌・抗菌の機能を有する漆喰コート表面のプライマー層は漆喰コートの表面に塗布した薬剤よりなり、
該薬剤は水酸化カルシウムを基剤としスサ、海藻糊、水性塗料樹脂を混合して形成し、
しかも、便蓋を閉蓋した際に機能シートの前端縁と便座前部との間の空間の距離を機能シートの後端縁と便座後部との間の空間の距離より長く形成し、
シート本体の薬剤面には宣伝広告機能を有する文字や図形を印刷したことを特徴とする殺菌等機能を有する腰かけ便器。
【手続補正書】
【提出日】令和3年11月30日(2021.11.30)
【手続補正１】
【補正対象書類名】明細書
【補正対象項目名】全文
【補正方法】変更
【補正の内容】
【発明の詳細な説明】
【技術分野】
【０００１】
本発明は、殺菌・滅菌・抗菌の機能を有する腰かけ便器の便蓋構造に関する。
【背景技術】
【０００２】
従来、腰かけ便器と殺菌・滅菌機能を付与したシートとを組み合わせて便器本体のボウル部の内部や便所空間全体を殺菌したり滅菌したりする技術は多々ある。
例えば、腰かけ便器の便蓋の内周縁にホルダーを取りつけてホルダー内に芳香剤や除菌剤や消臭剤などを収納したものや、便所内空間の特定の位置、例えば壁面とか壁体と便器間の空間等に光触媒を坦持した殺菌、滅菌機能を有するシートを貼付するもの等がある（特許文献１、２、３）。
【先行技術文献】
【特許文献】
【０００３】
【特許文献１】実登３１９８７８６号公報
【特許文献２】特開２００５−１５２２０７号公報
【特許文献３】特開２０１８−０３８７８２号公報
【発明の概要】
【発明が解決しようとする課題】
【０００４】
このように腰かけ便器に殺菌機能を有するシートを貼付したり殺菌剤収納のケースを便器近傍に取付ける技術がある。
これらの技術は便器本体のボウル内部やその周辺空間に殺菌機能や抗菌機能を及ぼすようにしたものであるが、腰かけ便器を設置した便所では便蓋の開蓋状況と閉蓋状況とでは衛生環境が大きく異なるために殺菌や抗菌の機能を便所内空間や便器内部に均等に、かつ、便蓋の開閉状態にかかわらず常時及ぼすことができなかった。
【０００５】
本件発明では、これらの殺菌滅菌の機能を広い範囲で最大限に発揮できるように腰かけ便器の便蓋の周縁部に特殊な形状加工をし、かつ、混合薬剤を塗布した殺菌シートを貼設すると共に、殺菌シートの本体も特定の素材の積層により構成することにより、腰かけ便器における便蓋の開閉状況にかかわらず殺菌シートの機能を便所内の各所に均一に発揮することができるようにした。しかも、殺菌シートはその表面には各種の広告宣伝表示を印刷しうるような素材で構成して人が便所内空間で用を足す時間を有効に利用してビジネス情報の伝達機能も兼ねるようにした。
【課題を解決するための手段】
【０００６】
この発明は、便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とし、便蓋の周縁部には囲い壁体を形成し、各蓋用脚体で囲繞された空間部分の便蓋裏面に略方形の殺菌・滅菌・抗菌の機能を有する機能シートを貼付し、機能シートを構成するシート本体は、シート本体の表面に薬剤を塗布し、裏面に粘着剤を塗布すると共に、該薬剤は水酸化カルシウムを基剤として形成し、しかも、便蓋を閉蓋した際に機能シートの前端縁と便座前部との間の空間の距離を機能シートの後端縁と便座後部との間の空間の距離より長く形成し、シート本体の薬剤面には宣伝広告機能を有する文字や図形を印刷したことを特徴とする殺菌等機能を有する腰かけ便器を提供せんとするものである。
【発明の効果】
【０００７】
請求項１に係る発明によれば、便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とし、便蓋の周縁部には囲い壁体を形成し、各蓋用脚体で囲繞された略方形の空間部分の便蓋裏面に略方形の殺菌・滅菌・抗菌の機能を有する機能シートを貼付し、機能シートを構成するシート本体は、シート本体の表面に薬剤を塗布し、裏面に粘着剤を塗布すると共に、該薬剤は水酸化カルシウムを基剤として形成し、しかも、便蓋を閉蓋した際に機能シートの前端縁と便座前部との間の空間の距離を機能シートの後端縁と便座後部との間の空間の距離より長く形成し、シート本体の薬剤面には宣伝広告機能を有する文字や図形を印刷したことにより、簡易な構造にもかかわらず便器本体、便所内空間のいずれにも有効な殺菌・滅菌・抗菌効果を及ぼすことができる。
すなわち、一般に通常の便座使用形態では、便座前部の空間部分には尻部は位置しないため便座前半部に対しては機能シートによる殺菌機能を及ぼす必要性は無い。このような位置関係においては便蓋を閉蓋した際に便蓋裏側に張った機能シートの前端縁と便座前部との間の空間長さを機能シートの後端縁と便座後部との間の空間長さより長くしておく方が殺菌抗菌効率が良好である。
【０００８】
他方、便蓋を開蓋して着座し用を足している間は着座した尻部の接触する便座中心位置では既に閉蓋時において便座表面へ殺菌・滅菌・抗菌の機能が及んでいるため尻部と共に便座表面に対する殺菌等の機能が十分に作用していた。しかも、用を足している間には既に便蓋の閉蓋時に便器ボウルに充満していた殺菌・滅菌・抗菌の薬剤の機能は便座前端と着座した股部との間の空間から気化漏洩してボウル部外にも拡散し便所内空間にも殺菌などの機能を及ぶすことができる。
また、用を足していない状態、すなわち、便蓋を垂直に開放し着座していない状態の場合には、便蓋の内側に貼着した機能シートは大気に露出し便所内空間のほぼ全域にわたって殺菌等の機能を及ぼすことができる。
従って、男性が小用のために便蓋を垂直に開蓋して用を足している場合は周辺に尿飛散が生起しても機能シートが大気に対して露出し便所内空間にわたって殺菌等の機能を及ぼすことができる効果がある。
【０００９】
更には、殺菌・滅菌・抗菌の機能を有する機能シート表面に水酸化カルシウムを基剤とした薬剤が密着塗布され、かかる機能シートは薬剤担持手段として有効に長時間担持機能を保有して容易に薬剤が剥離することなく殺菌等の機能を維持することができる効果がある。
特に、薬剤が水酸化カルシウムを基剤とし形成しているためにシート本体の紙質表面に容易に塗布密着することができ、しかも薬剤の塗布厚さの調整により薬剤の効能期間や効能力の調整をすることができる効果がある。
更には、シート本体は基板とプライマー層とＰＥＴ（ポリエステル）フイルムとアクリル系粘着剤と剥離紙とにより構成しているため薬剤の塗布密着効果が高く剥離紙の剥離作業も行いやすく貼付作業に便利であり、かつ剥離紙の剥離作業のみで便蓋の裏面に容易に貼着することができると共に薬剤の保持機能も十分にあり使用勝手が簡便で有用な効果がある。
また、殺菌等の機能の減退時にシート本体の取り換えを行う際も便蓋裏面から剥離して貼着し直すだけの作業であるためシート本体の交換も便利であり、シート本体の販売及び取り換え事業を衛生向上のためのビジネスと一体として便器周辺の殺菌抗菌等の衛生目的のビジネスモデルとして構築することもできる。
【００１０】
更には、シート本体の薬効成分により殺菌・滅菌・抗菌の機能を有効に発揮することができ、薬剤をシート本体に長期間確実に坦持することできる効果がある。
また、各種の情報を印刷することができ、殺菌・滅菌・抗菌の衛生事業に宣伝表示機能を付加して新しいビジネスモデルを構築することができる。
すなわち、塗布した薬剤表面には宣伝広告の機能を具備する文字や図形を印刷することにより、便蓋を上げて使用する際には殺菌等の機能と共に、便蓋裏面に貼付された印刷済みシート本体が大気に露出し用を足すものは必然的にシート本体の印刷内容を視認することができる。従って、広告宣伝機能を大いに発揮することができるために、広告スポンサーの有料化により機能シートのコストの低減やかかるシート本体の販売ビジネス事業にも役立てることができる効果もある。
ビジネスモデルの観点からは、便所における殺菌等の環境衛生を指向しながら同時に各種のＰＲ情報を発信することができるため、情報発信元の企業の事業発展に貢献しながら環境衛生にも貢献しているという企業イメージのアップにつながる。
このように本件発明によれば、便所内での殺菌・滅菌・抗菌の目的とした企業イメージの向上というビジネスモデルの構築も行うことができる効果がある。
【００１１】
従来、日常周辺の衛生環境を改善するために上記した薬剤に類似する機能シートを壁面や什器備品表面等の各所に貼設する技術思想は多々存在する。しかし、殺菌等の効果を便所空間や便器ボウル部に限って効率的に行うような殺菌等の機能シートは存在していなかった。そこで、本発明者は本出願の前に特に便所周辺の環境に対する殺菌や滅菌や消毒等の機能に特化しながら衛生向上や健康志向のビジネスモデル的活動に貢献することができるような技術開発をして特許出願した。しかし、この出願の発明は、便蓋の裏面に機能シートを貼付する点で類似するものであるが、便座と機能シートの位置関係があいまいであり着座した状態で便器のボウル部内とその周辺において最も効果的な機能シートの殺菌機能を果たすことができるものではなかった。
本発明では殺菌・滅菌・抗菌の機能シートを便座と一定の位置条件の関係で便蓋裏面に貼り、かつ、特定の素材成分からなるシート状の特性を生かして企業の情報発信の手段にできるようにして「便蓋と機能シートの関係構造」と「衛生機能を有する特殊素材の組合せからなるシート」と「特殊素材シート表面への情報発信手段」との組合せに技術的な特徴を持たせ、本発明者の便蓋裏面へ機能シート貼るという先願発明に勝る技術を提供せんとする。
同時に、便蓋の開蓋時の小用を足す時間を有効に利用して便蓋裏面の情報を視認しながら情報内容を伝達し各種のＰＲ事業を行うことができると共に、便所や便器本体等の狭空間において殺菌・滅菌・抗菌機能を有効に発揮し便所を中心とした衛生環境保全を行うという新たなビジネスモデルの構築のきっかけともなる効果を奏することができる。
【図面の簡単な説明】
【００１２】
【図１】本発明の実施形態における腰かけ便器を示す斜視図である。
【図２】本発明の実施形態における便蓋と機能シートを示す図１におけるＡ−Ａ端面図である。
【図３】本発明の実施形態における腰かけ便器の便蓋を閉塞した状態を示す斜視図である。
【図４】本発明の実施形態における便蓋と便座と便器の関係を示す図３におけるＢ−Ｂ端面図である。
【図５】本発明の実施形態におけるビジネスモデルを示す図である。
【発明を実施するための形態】
【００１３】
この発明の実施例を図面に基づき詳細に説明する。
図１は、便器本体ボウル部１０の便蓋２０を開放した状態で便蓋２０の裏面（内側）に機能シート３０を貼付した状態を示している。
【００１４】
機能シート３０は大きさを略Ａ４タイプの横置き型として使用する。
この大きさの規格は通常の便蓋２０の大きさを勘案していずれの便蓋２０に対しても便蓋２０の内面に横長に貼付することができる最大公約数的なサイズである。
本発明の実施例では、便器本体ボウル部１０の周縁部上面に脚体を介して平面視О型或いはＣ型の便座を一定厚みの空気流通空間を介して保持して載置している。
【００１５】
すなわち、便器本体ボウル部１０の周縁部上面には便座４０下面に垂設した脚体４１を介して平面視О型或いはＣ型の便座４０を載置自在とし、脚体４１の長さによって便器本体ボウル部１０と便座４０との間に一定高さの空気流通空間Ｓを形成している。
しかも、便座４０上面に便蓋２０を載置した際に便蓋２０の側周壁を下方に伸延して囲い壁体２１を形成している。
【００１６】
また、便蓋２０の裏面には蓋用脚体２２を前後左右の四か所に突設しており、閉蓋時には蓋用脚体２２、２２が便座４０上に載置されて便蓋２０を支持する。しかも、便蓋２０の蓋前側の左右蓋用脚体２２、２２と後側の左右の蓋用脚体２２、２２とで囲繞された略方形の裏面空間部分に横長手状の略方形の機能シート３０を貼付している。なお、機能シート３０は多層構造として後述するように殺菌・滅菌・抗菌の機能を有するように構成されている。
【００１７】
更には、便蓋２０を閉蓋した際に機能シート３０の前端縁と便座４０前部との間の空間距離を機能シート３０の後端縁と便座４０後部との間の空間距離より長く形成することにより殺菌・滅菌・抗菌の機能を有する腰かけ便器Ｔの便蓋２０構造を構成している。
なお、便蓋２０の下面（裏面）に蓋用脚体２２を前後左右の四か所に突設する構造は必要に応じて構成するものであり、便器本体の構造によっては蓋用脚体２２が不要となることもある。
【００１８】
次に、殺菌・滅菌・抗菌の機能を有する機能シート３０について詳説する。
機能シート３０を構成するシート本体３２は、表面に漆喰コート３２Ａを形成しその表面にプライマー層３２Ｂを形成し、更にその表面にＰＥＴ（ポリエステル）フイルム３２Ｃを重ねている。シート本体３２の裏面には粘着剤を塗布し、その表面に樹脂製剥離紙を剥離自在に貼着して構成している。
【００１９】
殺菌・滅菌・抗菌の機能を有する機能シート３０はシート本体３２におけるプライマー層表面に薬剤３３を塗布し、該薬剤３３は水酸化カルシウムを基剤としスサ、海藻糊、水性塗料樹脂を混合して形成したことを特徴とする。
【００２０】
また、シート本体３２に塗布した薬剤面には、後述するように宣伝広告の機能を有する文字や図形を印刷することができるようにしている。
【００２１】
しかも、機能シート３０の前端縁と便座４０前部との空間距離の長さは、便蓋２０を便座４０に閉蓋した状態において機能シート３０の後端縁と便座４０後部との間の空間距離より長くしている。
すなわち、便座４０を倒して便器を使用する際、例えば、用を足す際に便座４０後部に着座者の尻部を載置するときに便座４０の前端部は着座されない空間部となっている。従って、便座４０表面への機能シート３０の滅菌等の作用範囲は便座４０前端部には不要である。それよりも便座４０後部に機能シート３０の滅菌等の機能作用範囲を集中的に及ぼす方がよい。
そのためには便蓋２０を便座４０に閉蓋した際に機能シート３０の前端縁と便座４０前部との空間の距離の全長は機能シート３０の後端縁と便座４０後部との間の空間の距離より大としており、機能シート３０の有効に機能する範囲を尻部が載置接触する便座４０後半部分に限定し構成としている。
他方、機能シート３０の前端縁と便座前部との空間距離全長は機能シート３０の後端縁と便座後部との間の空間距離より大としている。
【００２２】
このように構成することにより、便器内部と共に便器外の便所空間部分に対しても殺菌・滅菌・抗菌の機能を果たしやすいようにしている。すなわち、尻部が接触しやすい便座４０表面、特に便座４０の後半部に主体的に機能シート３０の殺菌等の機能を作用させて尻部の接触便座部分に対して殺菌等を行う。しかも、股間部から便座４０前部までの前方空間部分においては機能シート３０の薬効成分が分散し便器外の便所空間部分に発散し空間殺菌を行うことができるようにしている。
【００２３】
このように便座４０の前方には股間を中心とした一定の広がりの空間を形成して便器の周辺空間と連通状態として機能シート３０からの薬効成分をこの便座４０前部の股間空間から大気中に発散して便器周辺を含む便所内空間に殺菌等の機能を及ぼすことができる。
【００２４】
このような薬効成分の発散機能エリアを便座４０の前半部と後半部に分担させて使用者の股間部や尻部や便座内部や便所内空間部にそれぞれ殺菌・滅菌・抗菌の薬効を機能させて便所全体に係る衛生環境の向上を図ることができるように構成している。
【００２５】
更には、用を足すために便座４０を閉蓋して尻部を便座４０の後部に着座した状態では便座４０の前方は一定の空間が生起して便器の周辺空間と連通状態となり機能シート３０からの薬効成分はこの便座４０の前部の空間から大気中に発散し便器の周辺を含む便所内空間で殺菌等の機能を果たすことができる。
【００２６】
殺菌・滅菌・抗菌の機能を有する機能シート３０は、基本的にはＣａ（ＯＨ）２消石灰を漆喰塗料として使用すると共に、これにスサ、海藻糊、水性塗料樹脂を混合して構成している。
また、殺菌・滅菌・抗菌の機能を有する機能シート３０の基板となるシート本体３２は、漆喰コート３２Ａを基板としてその表面にプライマー層３２Ｂを形成し、更にその表面にＰＥＴ（ポリエステル）フイルム３２Ｃを重ねている。シート本体３２の裏面には粘着剤を塗布し、その表面に樹脂製剥離紙を剥離自在に接着して構成している。
【００２７】
具体的には、Ｃａ（ＯＨ）２消石灰は０.３６ｋｇ／ｍ２の量を使用している。
また、機能シート３０の裏面には粘着剤３１を塗布しており、この粘着剤３１はアクリルゴムを使用する。
かかる機能シート３０は、大腸菌、黄色ブドウ球菌、緑膿菌、ＭＲＳＡに対する抗菌性を有し、また、ノロウイルス、インフルエンザウイルスを不活性化する抗ウイルス機能を有し、ペット臭やたばこ臭や生ごみ臭等の生活臭やトイレ臭を除去する消臭機能を有する。
以下に、かかる構成の殺菌・滅菌・抗菌の機能を有する機能シート３０の各種性能試験の結果を表記する。
【００２８】
<消臭性能試験>
かかる効果を検証するために本発明の機能シート３０を用いて、アンモニア、酢酸、メチルメルカブタン、硫化水素、インドールに対する消臭性能を試験した。その試験方法は、繊維評価技術協議会法の消臭性試験、及びＳＥＫマーク繊維製品認証基準用に基づき、２０℃、湿度６５％環境下で２４時間以上調湿された１００ｃｍ２（インドールのみ５０ｃｍ２）の機能シート３０を使用し、該機能シート３０を５Ｌのサンプリングバッグ内に封入し、３０分後、２時間後、２４時間後の揮発するガス濃度を検知管法又はガスクロマトグラフ法により測定した。それぞれのサンプリングバッグ内のガス初期濃度はアンモニア１００ｐｐｍ、酢酸３０ｐｐｍ、メチルメルカブタン８ｐｐｍ、硫化水素４ｐｐｍ、インドール３３ｐｐｍであり、所定時間経過後の濃度は表１〜表５に示すとおりである。
【００２９】
【表１】
2022002554.tif 000022
【００３０】
【表２】
2022002554.tif 000023
【００３１】
【表３】
2022002554.tif 000024
【００３２】
【表４】
2022002554.tif 000025
【００３３】
【表５】
2022002554.tif 000026
【００３４】
上記条件下で測定した結果、表１〜５に示すように、測定した４成分について２４時間後には所期測定値と比較して約９０％の減少が確認された。
【００３５】
<抗菌性能試験>
また、本発明者は抗菌加工製品抗菌性試験方法、ＪＩＳＺ２８０１−２０００に従い、シャーレに菌を接種し、無加工状態と抗菌加工した状態で周囲温度３５℃、相対湿度９０％以上の条件下で２４時間培養し、菌液接種直後及び２４時間培養後の機能シート３０の試料片３個の生菌数を測定することで機能シート３０の抗菌性能についても確認した。本試験では、大腸菌、黄色ぶどう球菌、緑膿菌、ＭＲＳＡの４種類について測定した。その測定結果を表６に示す。
【００３６】
【表６】
2022002554.tif 000027
【００３７】
上記条件下で測定した結果、表６に示すように、無加工のシャーレ内においては測定した全ての菌が２４時間後には増加したのに対して、本件発明の機能シート３０の試料片を同梱したシャーレ内ではほぼ全ての菌が死滅しており検出されなかった。
【００３８】
＜抗ウイルス性能試験＞
また、本発明者は抗ウイルスの検証実験として、本件発明の機能シート３０の試料片を内包したシャーレと、何も内包していない空のシャーレを準備し、それぞれのシャーレ内にウイルス液を注入し、３０分放置後、６０分放置後のそれぞれのシャーレ内におけるウイルスの感染価について確認した。この試験では、抗菌性能について確認するため、抗ウイルス塗料単独で実験した結果、抗ウイルス塗料の中性化を促進した塗料を塗布した機能シート３０の試料片を内包したもの、抗ウイルスシートのみをシャーレに内包したものの３条件にシャーレ内に何も内包しない条件を追加した４条件を確認した。また、この実験で使用されるウイルス液はエンベロープウイルスとノンエンベロープウイルスの２種類とし、さらに、エンベロープウイルスはインフルエンザウイルス、水泡性口内炎ウイルス、ウシ丘疹性口炎ウイルスの３種類であり、ノンエンベロープウイルスはイヌパルボウウイルスである。その結果としてインフルエンザウイルスに関してのみ表７に示す。
【００３９】
【表７】
2022002554.tif 000028
【００４０】
上記条件下で測定した結果、表７に示すようにシャーレ内に本件発明の機能シート３０の試料片とウイルス液を同梱したシャーレではウイルス液のみをシャーレ内に内包した条件と比較して約９９％のウイルスの減少が確認された。
【００４１】
かかる機能シート３０のシート本体３２に浸漬した薬剤３３の機能は次のようなメカニズムによって生成される。
すなわち、薬剤３３の塗幕表面や内部には多数の細孔があり、その分表面積が広くウイルス液はかかる広範囲の面積の薬剤３３と接触する。ウイルス液が薬剤３３に付着するとウイルスの周辺の水分は薬剤３３を構成するＣａ（ＯＨ）２消石灰によって強アルカリ性となりウイルス液の強アルカリ性化によってウイルスの構造が破壊され感染価が減少する。
すなわち、ウイルスの周囲環境が強アルカリ性になると脂質やたんぱく質の変性を引き起こしウイルスの構造が破壊される。
ウイルスは一般に咳、くしゃみによる飛沫中吐しゃ物など水分と共に存在する。薬剤３３のこのような機能により抗菌、抗ウイルス効果が発揮される。
【００４２】
かかる殺菌等の機能を有する腰かけ便器Ｔは、便蓋２０を閉めて殺菌等を行うことによって機能する。すなわち、便蓋２０を閉めた状態で水洗をすることにより機能シート３０は汚物等に対して対面状態で接することになり水洗で便器本体ボウル部１０内に飛散するウイルス等の菌を機能シート３０で吸着し殺菌する。
すなわち、通常、便蓋２０を開放して水洗すると便器本体ボウル部１０内を洗浄する水流により排便等に含まれているウイルスや細菌が便蓋２０を解放した便器本体ボウル部１０内から便所内空間にばら撒かれ、しかも、空中にばら撒かれたウイルスの潜伏期間が９０分以上もあるため次に腰かけ便器Ｔを使用する人への二次感染を引き起こす危険性がある。
【００４３】
かかる感染を防止するために本件発明の腰かけ便器Ｔは、便蓋２０の裏面に一定の規制の下で機能シート３０を貼着して便蓋２０を閉めて水洗することにより殺菌機能を果たすと共に、着座して用を足す場合には機能シート３０と便器便座との特徴的な位置関係構造によって便器本体内部から便所空間内にも殺菌機能を及ぼすことができるという本件の特徴的な技術が生成された。
【００４４】
本件発明の重要な特徴はかかる機能シート３０の貼着箇所と便蓋２０の開閉蓋構造とにあることがわかる。
【００４５】
図３及び図４に示すように、便座４０の裏面、すなわち、便器本体ボウル部１０の周縁部との間には緩衝材としてゴムなどの弾性体で構成された脚体４１がスペーサとして配設されており、該スペーサが脚体４１として介在することにより便蓋２０を閉塞した場合でも便器本体ボウル部１０と便座４０との間に若干の隙間が形成され便蓋２０を閉塞した状態でもこの隙間から機能シート３０に塗布した薬剤３３が拡散機能して便所内空間にも殺菌等の機能を果たすことができる。
【００４６】
本発明の実施例では、便器本体ボウル部１０の周縁部上面に脚体４１を介して平面視О型或いはＣ型の便座４０を一定厚みの空気流通空間Ｓを介して保持載置されている。
すなわち、便器本体ボウル部１０の周縁部上面には便座４０下面に垂設した脚体４１を介して平面視О型或いはＣ型の便座４０を載置自在とし、脚体４１の長さによって便器本体ボウル部１０と便座４０との間に一定高さの空気流通空間Ｓを形成し、しかも、便座４０上面に便蓋２０を載置した際に便蓋２０の側周壁を下方に伸延して囲い壁体２１とし、囲い壁体２１の内方に空気流通空間Ｓが形成されるように構成している。
【００４７】
また、便蓋２０の下面である裏面には蓋用脚体２２を前後左右の四か所に突設しており、閉蓋時には蓋用脚体２２が便座上に載置されて便蓋２０を支持する。
【００４８】
また、図２に示すように、殺菌・滅菌・抗菌の機能を有する機能シート３０は、紙質のシート本体３２の表面に薬剤３３を塗布し、裏面に粘着剤３１、例えば、アクリルゴムを塗布すると共に、薬剤３３としては水酸化カルシウムを基本としたことにあり、しかも、塗布した薬剤３３の表面或いは機能シート３０の表面には宣伝広告の機能も具備する文字や図形を印刷して印字面３４を形成している。
そのため、腰かけ便器Ｔの使用者は使用時に便蓋２０を開けると便蓋２０の開放と同時に機能シート３０が眼前に現れて用を足す間に機能シート３０に印刷された印字面３４の宣伝広告表示を認識することができ殺菌等の機能と共に広告宣伝機能も有する。
【００４９】
このように塗布した薬剤３３表面には宣伝広告の機能を具備する文字や図形を印刷することにより、便蓋２０を上げて使用する際には殺菌等の機能と共に、便蓋２０裏面に貼付された印刷済みシート本体３２が閉蓋状態から露出することになり使用者は必然的にシート本体３２の印刷内容を視認することができる。すなわち、広告宣伝機能も果たすことができ、広告スポンサーからのスポンサー料の発生によって広告宣伝の有料化を図り機能シート３０のコスト低減や機能シート３０の取換えによるシート販売ビジネス事業に役立てることができるという経済的な効果もある。
【００５０】
本発明では便所における殺菌等の環境衛生を指向しながら同時に各種のＰＲ情報を発信することができるため、情報発信元の企業の事業発展に貢献しながら環境整備にも貢献しているという企業イメージのアップを図るビジネスモデルの構築が行える。従って、企業にとってはかかるビジネスモデルを売込む事業ともなる。
図５は、本発明をかかるビジネスモデルの材料として活用した場合のビジネスモデル当事者間における相関関係の説明図である。
【００５１】
従来、かかる機能シート３０を壁面や什器備品表面に貼付して周辺空間への殺菌効果を果たす考え方は有るが、本件発明では、「便蓋裏面へ機能シートを貼付する」技術によって、用を足す使用者が情報を見ながらゆとりを持って情報内容を確認することができるという「便所という狭空間における情報取得機能」と、「便所内空間及び便器内部やその周辺における殺菌・滅菌・抗菌の衛生機構向上」との両方の目的を図ることができることに特徴を有するのであり、かかる特徴は従来の技術には本発明に特有の技術である。
【符号の説明】
【００５２】
Ｔ    腰かけ便器
１０    便器本体ボウル部
２０    便蓋
２１    囲い壁体
２２    蓋用脚体
３０    機能シート
３１    粘着剤
３２    シート本体
３２Ａ  漆喰コート
３２Ｂ  プライマー層
３２Ｃ  ＰＥＴフイルム
３２Ｄ  アクリル系粘着剤
３２Ｅ  樹脂製剥離紙
３３    薬剤
３４    印字面
４０    便座
４１    脚体
【手続補正２】
【補正対象書類名】特許請求の範囲
【補正対象項目名】全文
【補正方法】変更
【補正の内容】
【特許請求の範囲】
【請求項１】
便器本体ボウル部の周縁部上面に脚体を介して平面視О型或いはＣ型の便座を載置自在とすると共に、脚体によって便器本体ボウル部と便座との間に一定高さの空気流通空間を形成し、更には便座上面に便蓋を開閉自在に載置可能とし、便蓋の周縁部には囲い壁体を形成し、
各蓋用脚体で囲繞された略方形の空間部分の便蓋裏面に略方形の殺菌・滅菌・抗菌の機能を有する機能シートを貼付し、
機能シートを構成するシート本体は、シート本体の表面に薬剤を塗布し、裏面に粘着剤を塗布すると共に、該薬剤は水酸化カルシウムを基剤として形成し、しかも、便蓋を閉蓋した際に機能シートの前端縁と便座前部との間の空間の距離を機能シートの後端縁と便座後部との間の空間の距離より長く形成し、
シート本体の薬剤面には宣伝広告機能を有する文字や図形を印刷したことを特徴とする殺菌等機能を有する腰かけ便器。
【手続補正３】
【補正対象書類名】図面
【補正対象項目名】図２
【補正方法】変更
【補正の内容】
【図２】
2022002554.tif 000029